(57)【要約】【課題】外出時において利便性に優れ、乳幼児とのコミュニケーションを可能としつつ乳幼児の泣き声が周囲に漏れるのを抑制することのできる乳幼児の泣き声静音カバーを提供する。【解決手段】乳幼児の泣き声が周囲に漏れるのを抑制するための乳幼児の泣き声静音カバーにおいて、乳幼児の泣き声を遮音する遮音材を有しており、保護者の体の前側に抱っこした乳幼児を覆うシート状のカバー本体部１１０と、カバー本体部の上側となる辺の中央部が保護者側から離れる方向に湾曲されて、保護者の首元で乳幼児側に開口するように形成された開口部１２０と、開口部の両端部同士を結び、保護者の首に掛けられる首掛け紐１３０と、カバー本体部の上側となる辺の両端部同士を結び、保護者の背中に掛けられる背中紐１４０と、を設ける。【選択図】図３
2018099434.tif 000002
【特許請求の範囲】
【請求項１】
乳幼児の泣き声が周囲に漏れるのを抑制するための乳幼児の泣き声静音カバーにおいて、
前記乳幼児の泣き声を遮音する遮音材（１１１）を有しており、保護者の体の前側に抱っこした前記乳幼児を覆うシート状のカバー本体部（１１０）と、
前記カバー本体部の上側となる辺の中央部が前記保護者側から離れる方向に湾曲されて、前記保護者の首元で前記乳幼児側に開口するように形成された開口部（１２０）と、
前記開口部の両端部同士を結び、前記保護者の首に掛けられる首掛け紐（１３０）と、
前記カバー本体部の前記上側となる辺の両端部同士を結び、前記保護者の背中に掛けられる背中紐（１４０）と、を備える乳幼児の泣き声静音カバー。
【請求項２】
前記遮音材は、複数積層されて形成された請求項１に記載の乳幼児の泣き声静音カバー。
【請求項３】
前記遮音材は、表面に遮音用コーティングが施された布材（１１１ａ）、発砲樹脂材、あるいはゴム材のいずれかである請求項２に記載の乳幼児の泣き声静音カバー。
【請求項４】
前記遮音材は、表面に前記遮音用コーティングが施された前記布材であり、
前記遮音用コーティングによって、前記布材の表面に微小な凹凸が形成され、複数積層された前記遮音材の間に空気層が形成された請求項３に記載の乳幼児の泣き声静音カバー。
【請求項５】
前記遮音材の表面には、防水処理された防水処理層が形成された請求項４に記載の乳幼児の泣き声静音カバー。
【請求項６】
複数積層された前記遮音材は、それぞれ、周波数に対する遮音特性が異なるように設定された請求項２〜請求項４のいずれか１つに記載の乳幼児の泣き声静音カバー。
【請求項７】
前記カバー本体部は、前記遮音材の表側において、前記遮音材に対して着脱可能に設けられた表生地（１１２）を有する請求項１〜請求項６のいずれか１つに記載の乳幼児の泣き声静音カバー。
【請求項８】
前記表生地の表面には、撥水処理された撥水処理層が形成された請求項７に記載の乳幼児の泣き声静音カバー。
【請求項９】
前記表生地の表面には、ブランケットの装着を可能とする装着部が形成された請求項７または請求項８に記載の乳幼児の泣き声静音カバー。
【請求項１０】
前記表生地には、前記乳幼児を抱っこしているために、前記保護者は両手が使えないことを周囲の人に示すための文字、あるいは図による表示が設けられた請求項７〜請求項９のいずれか１つに記載の乳幼児の泣き声静音カバー。
【請求項１１】
前記カバー本体部の表面には、日差しを反射させる反射部、あるいは紫外線をカットするカット部が形成された請求項１〜請求項１０のいずれか１つ記載の乳幼児の泣き声静音カバー。
【請求項１２】
前記カバー本体部は、前記遮音材の裏側において、前記遮音材に対して着脱可能で、通気性、あるいは保温性のある裏生地（１１３）を有する請求項１〜請求項１１のいずれか１つに記載の乳幼児の泣き声静音カバー。
【請求項１３】
前記裏生地には、前記乳幼児の足を挿入可能とする足用ポケット（１１３ａ）が設けられた請求項１２に記載の乳幼児の泣き声静音カバー。
【請求項１４】
前記裏生地の表面には、抗菌処理された抗菌処理層が形成された請求項１２または請求項１３に記載の乳幼児の泣き声静音カバー。
【請求項１５】
前記開口部の周囲は、前記両端部よりも前記湾曲された中央部が上側に位置して、傾斜するように形成された請求項１〜請求項１４のいずれか１つに記載の乳幼児の泣き声静音カバー。
【請求項１６】
前記開口部の周囲には、前記開口された形状を保持する形状保持部（１２１）が設けられた請求項１〜請求項１５のいずれか１つに記載の乳幼児の泣き声静音カバー。
【請求項１７】
前記開口部には、前記開口部を開閉可能とする蓋部（１２２）が設けられた請求項１〜請求項１６のいずれか１つに記載の乳幼児の泣き声静音カバー。
【請求項１８】
前記蓋部は、透明部材、あるいはメッシュ部材によって形成された請求項１７に記載の乳幼児の泣き声静音カバー。
【請求項１９】
前記首掛け紐は、長さ調整を可能とする首掛け紐用長さ調整部（１３１）を有する請求項１〜請求項１８のいずれか１つに記載の乳幼児の泣き声静音カバー。
【請求項２０】
前記首掛け紐は、伸縮可能な弾性部材によって形成された請求項１〜請求項１８のいずれか１つに記載の乳幼児の泣き声静音カバー。
【請求項２１】
前記背中紐は、長さ調整を可能とする背中紐用長さ調整部（１４１）を有する請求項１〜請求項２０のいずれか１つに記載の乳幼児の泣き声静音カバー。
【請求項２２】
前記首掛け紐は、伸縮可能な弾性部材によって形成された請求項１〜請求項２０のいずれか１つに記載の乳幼児の泣き声静音カバー。
【請求項２３】
前記カバー本体部は、前記乳幼児の泣き声を捉えるマイク（２１１）と、
前記マイクで捉えた泣き声の音波に対して逆位相となる逆位相音波を発生させる発生部（２１２）と、を有する請求項１〜請求項２２のいずれか１つに記載の乳幼児の泣き声静音カバー。
【請求項２４】
前記カバー本体部は、前記乳幼児を和ませる音や曲を流すスピーカ装置（２２１）を有する請求項１〜請求項２３のいずれか１つに記載の乳幼児の泣き声静音カバー。
【請求項２５】
前記カバー本体部は、前記乳幼児に向けて送風する扇風機（２３１）を有する請求項１〜請求項２４のいずれか１つに記載の乳幼児の泣き声静音カバー。
【請求項２６】
前記カバー本体部は、前記カバー本体部内で冷気を放出する蓄冷材（２４１）を保持する保持部（２４２）を有する請求項１〜請求項２５のいずれか１つに記載の乳幼児の泣き声静音カバー。
【請求項２７】
前記カバー本体部は、前記乳幼児の声を集音する集音マイク（２５１）と、
前記保護者の耳に取付け可能として、前記集音マイクで集音した前記乳幼児の声を出力するイヤホン（２５２）とを有する請求項１〜請求項２６のいずれか１つに記載の乳幼児の泣き声静音カバー。
【請求項２８】
前記カバー本体部は、前記カバー本体部が折りたたまれた状態を保持する保持部を有する請求項１〜請求項２７のいずれか１つに記載の乳幼児の泣き声静音カバー。
【請求項２９】
前記カバー本体部は、前記カバー本体部の周囲の所定部位同士を接合可能として、一部に非接合部を残して袋状に保持する接合部（１１０ａ）を有する請求項１〜請求項２８のいずれか１つに記載の乳幼児の泣き声静音カバー。
【請求項３０】
前記カバー本体部は、前記乳幼児の泣き声の音声データ、および前記乳幼児の生体に関する生体データを取得する取得部（２６１）と、
前記取得部で取得した音声データ、および生体データを前記保護者の携帯機器（２６３）に送信する送信部（２６２）と、を有する請求項１〜請求項２９のいずれか１つに記載の乳幼児の泣き声静音カバー。
【発明の詳細な説明】
【技術分野】
【０００１】
本発明は、乳幼児の泣き声が周囲に届くのを抑制する乳幼児の泣き声静音カバーに関するものである。
【背景技術】
【０００２】
従来、乳幼児の泣き声を抑制するものとして、例えば、特許文献１に記載された泣き声変換カプセルが知られている。
【０００３】
泣き声変換カプセルは、本カプセルの内部に乳幼児を入れて、蓋を閉じ乳幼児を寝かすようになっている。本カプセルの周囲の壁は二重構造となっており、外部に乳幼児の泣き声が届きにくくなっている（防音構造となっている）。更に、本カプセルには、コンデンサマイクと、テープレコーダが設けられており、コンデンサマイクによって、乳幼児の泣き声を検知すると、テープレコーダが作動されて、予め録音しておいた乳幼児の笑い声が本カプセルの外部に向けて再生されるようになっている。
【先行技術文献】
【特許文献】
【０００４】
【特許文献１】特開２００１−３３１１８０号公報
【発明の概要】
【発明が解決しようとする課題】
【０００５】
しかしながら、上記特許文献１では、外出時に本カプセルを持ち運ぶのは大変であり、例えば、外出先での飛行機や電車等の公共施設で、急に乳幼児が泣き出した場合に対応するのが難しい。また、本カプセルに乳幼児を閉じ込めてしまうのは、周囲の人から、乳幼児に対する冷たい扱いであるかのようなイメージを持たれ、使用しづらい面がある。
【０００６】
更に、上記特許文献１では、乳幼児を本カプセルの中に入れるので、母子のスキンシップ（広い意味のコミュニケーション）が取れず、乳幼児の発育に悪影響を与える可能性がある。
【０００７】
本発明の目的は、上記問題に鑑み、外出時において利便性に優れ、乳幼児とのコミュニケーションを可能としつつ乳幼児の泣き声が周囲に漏れるのを抑制することのできる乳幼児の泣き声静音カバーを提供することにある。
【課題を解決するための手段】
【０００８】
本発明は上記目的を達成するために、以下の技術的手段を採用する。
【０００９】
本発明では、乳幼児の泣き声が周囲に漏れるのを抑制するための乳幼児の泣き声静音カバーにおいて、
乳幼児の泣き声を遮音する遮音材（１１１）を有しており、保護者の体の前側に抱っこした乳幼児を覆うシート状のカバー本体部（１１０）と、
カバー本体部の上側となる辺の中央部が保護者側から離れる方向に湾曲されて、保護者の首元で乳幼児側に開口するように形成された開口部（１２０）と、
開口部の両端部同士を結び、保護者の首に掛けられる首掛け紐（１３０）と、
カバー本体部の上側となる辺の両端部同士を結び、保護者の背中に掛けられる背中紐（１４０）と、を備えることを特徴としている。
【００１０】
この発明によれば、カバー本体部（１１０）によって保護者の体の前側に抱っこした乳幼児を覆うことができる。カバー本体部（１１０）は、首掛け紐（１３０）、および背中紐（１４０）によって、保護者からずり落ちたりまくれたりすることなく、保護者に固定することができる。そして、カバー本体部（１１０）は、遮音材（１１１）を有しているので、乳幼児の泣き声が、周囲に漏れるのを抑制することができる。
【００１１】
また、カバー本体部（１１０）には、保護者の首元で乳幼児側に開口する開口部（１２０）が形成されているので、保護者は、乳幼児の表情を見たり、声を聴いたりしながら乳幼児に対して、声をかけたり、あやしたりすること、即ち、乳幼児に対する広い意味でのコミュニケーションを容易に取ることができる。
【００１２】
更に、カバー本体部（１１０）は、シート状に形成されているので、例えば、折りたたんで、手軽に携帯することができ、外出先、公共の場所（例えば、電車内、飛行機内等）等でも、乳幼児が泣き出したときに、手軽に使用することが可能となる。
【００１３】
尚、上記各手段の括弧内の符号は、後述する実施形態記載の具体的手段との対応関係を示すものである。
【図面の簡単な説明】
【００１４】
【図１】第１実施形態における乳幼児の泣き声静音カバーの全体構成を示す正面図である。
【図２】遮音材の構成を示す分解斜視図である。
【図３】乳幼児の泣き声静音カバーを保護者に装着した状態を示す説明図である。
【図４】乳幼児の泣き声静音カバーによる静音効果を示すグラフである。
【図５】第１実施形態の変形例における乳幼児の泣き声静音カバーを示す説明図である。
【図６】その他の実施形態４における乳幼児の泣き声静音カバーを示す説明図である。
【図７】その他の実施形態５における乳幼児の泣き声静音カバーを示す説明図である。
【図８】その他の実施形態６における乳幼児の泣き声静音カバーを示す説明図である。
【図９】その他の実施形態７における乳幼児の泣き声静音カバーを示す説明図である。
【図１０】その他の実施形態８における乳幼児の泣き声静音カバーを示す説明図である。
【図１１】その他の実施形態９における乳幼児の泣き声静音カバーを示す説明図である。
【図１２】その他の実施形態１１における乳幼児の泣き声静音カバーを示す説明図である。
【図１３】その他の実施形態１２における乳幼児の泣き声静音カバーを示す説明図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
第１実施形態の乳幼児の泣き声静音カバー１００について、図１〜図４を用いて説明する。乳幼児の泣き声静音カバー（以下、静音カバー）１００は、乳幼児の泣き声が周囲に漏れるのを抑制するものであり、図１、図２に示すように、カバー本体部１１０、開口部１２０、首掛け紐１３０、および背中紐１４０等を備えている。
【００１７】
カバー本体部１１０は、保護者（例えば、母親）の体の前側に抱っこした乳幼児を覆う、例えば、四角形を成すシート状の部材であり、遮音材１１１、表生地１１２、および裏生地１１３等を有している。カバー本体部１１０は、遮音材１１１、表生地１１２、および裏生地１１３等が重ねられて形成されている。
【００１８】
遮音材１１１は、乳幼児の泣き声を遮音するための遮音部を形成するものであり、例えば、四角形の布材１１１ａから形成されている。布材１１１ａは、例えば、カーテンレース生地、あるいはポリエステル生地等が使用されている。布材１１１ａの大きさは、保護者の体格に応じて設定されており、例えば、縦７０ｃｍ、横１００ｃｍ程度となっている。更に、ここでは、遮音材１１１は、布材１１１ａが複数枚（ここでは４枚）、積層されて（張合されて）形成されている。布材１１１ａの積層枚数は、２〜４枚程度が好適である。
【００１９】
そして、それぞれの布材１１１ａの表面には、遮音用コーティングが施されている。遮音用コーティングは、例えば、酸化チタンによるコーティングが採用されている。酸化チタンのコーティングによって、布材１１１ａの表面には、微小な凹凸が形成されて（立体成形されて）、この凹凸によって、互いに積層された布材１１１ａの間には空気層が形成されている。この空気層によって、乳幼児の泣き声（例えば、３０００Ｈｚ前後の周波数領域の泣き声）が効果的に遮音されるようになっている。遮音材１１１の表面には、防水処理された防水処理層が形成されるようにしてもよい。
【００２０】
表生地１１２は、例えば、表面にファッション性のある柄、あるいは温かみのある柄（花柄や、幾何学模様等）が設けられた布材であり、遮音材１１１と同等の大きさを有し、遮音材１１１の表側に着脱可能に設けられている。遮音材１１１と表生地１１２のそれぞれの周囲には、遮音材１１１と表生地１１２とを互いに接合する面ファスナ（登録商標  マジックテープ）や、ボタン等が設けられており、これら面ファスナやボタン等により、表生地１１２は、遮音材１１１に対して着脱可能に設けられている。
【００２１】
裏生地１１３は、遮音材１１１と同等の大きさを有する布材であり、遮音材１１１の裏側に着脱可能に設けられている。裏生地１１３は、例えば、通気性がよく、肌触りのよいオーガニックコットン生地が使用されている。上記表生地１１２の場合と同様に、遮音材１１１と裏生地１１３のそれぞれの周囲には、遮音材１１１と裏生地１１３とを互いに接合する面ファスナ（登録商標  マジックテープ）や、ボタン等が設けられており、これら面ファスナやボタン等により、裏生地１１３は、遮音材１１１に対して着脱可能に設けられている。
【００２２】
尚、裏生地１１３は、上記のオーガニックコットン生地に代えて、例えば、夏場に使用する場合であると、通気性を有するシルク生地、ドライシャツ生地、メッシュ生地を用いるとよく、また、冬場に使用する場合であると、保温性を有するフリース生地、タオル生地を用いるとよい。
【００２３】
開口部１２０は、カバー本体部１１０の四角形の上側となる辺の中央部が、保護者側から離れる方向に逆Ｕ字状に湾曲されて、保護者の首元で乳幼児側に開口するように形成された部位となっている。
【００２４】
図３に示すように、開口部１２０の周囲は、逆Ｕ字状の両端部よりも湾曲された中央部が、上側に位置して、傾斜するように形成されている。傾斜の角度は、例えば、３０度程度である。
【００２５】
そして、開口部１２０の周囲、つまり、カバー本体部１１０の四角形の上側となる辺において開口部１２０に相当する領域には、開口部１２０の形状を、逆Ｕ字状に湾曲された状態に保持するための形状保持部１２１が設けられている。形状保持部１２１は、例えば、形状記憶金属（ワイヤ状部材）、あるいは形状記憶樹脂等によって形成されている。尚、形状保持部１２１は、カバー本体部１１０が折りたたまれたとき、折り目に合せた変形が可能であり、また、カバー本体部１１０が広げられたとき、上記説明の逆Ｕ字状の湾曲形状に戻るようになっている。
【００２６】
首掛け紐１３０は、カバー本体部１１０に設けられた紐部材である。首掛け紐１３０は、開口部１２０の逆Ｕ字状の両端部同士を結ぶように形成されて、保護者の首に掛けられる部位となっている。
【００２７】
首掛け紐１３０は、例えば布材から形成されており、途中部位に長さ調整を可能とする首掛け紐用長さ調整部１３１を有している。
【００２８】
尚、首掛け紐１３０は、上記のように布材から形成されて、首掛け紐用長さ調整部１３１を有するものに代えて、ゴム部材のような弾性部材（ゴム紐）から形成されて、首掛け紐用長さ調整部１３１を不要としたものとしてもよい。
【００２９】
背中紐１４０は、カバー本体部１１０に設けられた紐部材である。背中紐１４０は、カバー本体部１１０の上側となる辺の両端部同士を結ぶように形成されて、保護者の背中に掛けられる部位となっている。
【００３０】
背中紐１４０は、例えば布材から形成されており、途中部位には長さ調整を可能とする背中紐用長さ調整部１４１を有している。
【００３１】
尚、背中紐１４０は、上記のように布材から形成されて、背中紐用長さ調整部１４１を有するものに代えて、ゴム部材のような弾性部材（ゴム紐）から形成されて、背中紐用長さ調整部１４１を不要としたものとしてもよい。
【００３２】
静音カバー１００は、以上のように形成されており、以下のようにして（図３に示すように）使用される。
【００３３】
即ち、保護者は、乳幼児を体の前側に抱っこした状態で、背中紐１４０に頭、および上半身を通すことで、背中紐１４０が背中に掛けられた状態にする。また、同様に、保護者は、首掛け紐１３０に頭を通すことで、首掛け紐１３０が首に掛けられた状態にする。このようにすることで、静音カバー１００（カバー本体部１１０）は、乳幼児をすっぽりと覆うようにして、保護者に装着される。このとき、開口部１２０は、保護者側を向いて保護者の首元において、乳幼児側に開口した状態となる。
【００３４】
本実施形態によれば、カバー本体部１１０によって保護者の体の前側に抱っこした乳幼児を覆うことができる。カバー本体部１１０は、首掛け紐１３０、および背中紐１４０によって、保護者からずり落ちたりまくれたりすることなく、保護者に固定することができる。そして、カバー本体部１１０は、遮音材１１１を有しているので、乳幼児の泣き声が、周囲に漏れるのを抑制することができる。
【００３５】
図４は、本静音カバー１００による、乳幼児の泣き声に対する静音効果を示したものである。泣き声のデータ（周波数に対する音量データ）は、乳幼児から所定距離（例えば、１ｍ）離れた位置に設定されたマイクによって測定されたものとなっている。
【００３６】
一般的に、人が音に対して敏感となる音域は概ね２０００Ｈｚ〜５０００Ｈｚであり、また、乳幼児の泣き声の音域は１０００Ｈｚ〜５０００Ｈｚであり、更に、泣き声の最大となる音域は２５００Ｈｚ〜３５００Ｈｚであるとされている。本静音カバー１００の使用により、５００Ｈｚ以上の全領域にわたって音量の低減効果が得られている。特に、上記のような乳幼児の泣き声音域では、５〜１５ｄＢ程度の音量低下が得られ、また泣き声の最大音域では、１０ｄＢ程度の音量低下が得られ、充分な静音効果が認められた。
【００３７】
また、カバー本体部１１０には、保護者の首元で乳幼児側に開口する開口部１２０が形成されているので、保護者は、乳幼児の表情を見たり、声を聴いたりしながら乳幼児に対して、声をかけたり、あやしたりすること、即ち、乳幼児に対する広い意味でのコミュニケーションを容易に取ることができる。
【００３８】
更に、カバー本体部１１０は、シート状に形成されているので、例えば、折りたたんで、手軽に携帯することができ、外出先、公共の場所（例えば、電車内、飛行機内等）等でも、乳幼児が泣き出したときに、手軽に使用することが可能となる。
【００３９】
また、遮音材１１１は、複数積層されて形成されるようにしている。これにより、乳幼児の泣き声を遮音する効果を高めることができる。
【００４０】
また、遮音材１１１は、表面に遮音用コーティング（酸化チタンのコーティング）が施された布材１１１ａとしている。これにより、身近な材料を用い、遮音性に優れた遮音材とすることができる。
【００４１】
また、遮音用コーティングによって、布材１１１ａの表面に微小な凹凸が形成され、複数積層された遮音材の間に空気層が形成されるようにしている。この空気層によって、遮音効果を高めることができる。
【００４２】
また、遮音材１１１の表面には、防水処理された防水処理層が形成されている。これにより、洗濯によって遮音用コーティングがいたむのを防止して、耐久性を向上させることができる。
【００４３】
また、カバー本体部１１０は、遮音材１１１の表側において、遮音材１１１に対して着脱可能に設けられた表生地１１２を有している。これにより、例えば、表生地１１２にファッション性のある柄、あるいは温かみのある柄等を設けたものを準備して、好みに応じて装着、あるいは交換することで、おしゃれ感覚をもって使用することができる。
【００４４】
また、カバー本体部１１０は、遮音材１１１の裏側において、遮音材１１１に対して着脱可能で、通気性、あるいは保温性のある裏生地１１３を有している。これにより、通気性のある裏生地１１３を取り付けた場合では、夏場等でのカバー本体部１１０内に湿気がこもることを抑制でき、乳幼児の快適性を向上させることができる。また、保温性のある裏生地１１３を取り付けた場合では、冬場等での乳幼児に対する防寒対策が可能となる。
【００４５】
また、開口部１２０の周囲は、開口部１２０の両端部よりも湾曲された中央部が、上側に位置して、傾斜するように形成されている。これにより、開口部１２０による開口状態を損なうことなく、乳幼児を覆う領域を広げ、乳幼児の泣き声が周囲に漏れる（回析する）のを抑制して、遮音効果を高めることができる。
【００４６】
また、開口部１２０の周囲には、開口された形状を保持する形状保持部１２１が設けられている。これにより、シート状に形成されるカバー本体部１１０において、形状保持部１２１によって、開口部１２０の形状を安定的に保持することができる。
【００４７】
また、首掛け紐１３０は、長さ調整を可能とする首掛け紐用長さ調整部１３１を有している。これにより、保護者の体格にあった首掛け紐１３０とすることができ、保護者にフィットした状態でカバー本体部１１０を装着することができる。
【００４８】
尚、首掛け紐１３０は、伸縮可能な弾性部材によって形成することも可能である。これにより、上記のような首掛け紐用長さ調整部１３１を不要として、保護者にフィットした状態でカバー本体部１１０を装着することができる。
【００４９】
また、首掛け紐１３０と同様に、背中紐１４０は、長さ調整を可能とする背中紐用長さ調整部１４１を有している。これにより、保護者の体格にあった背中紐１４０とすることができ、保護者にフィットした状態でカバー本体部１１０を装着することができる。
【００５０】
尚、首掛け紐は、伸縮可能な弾性部材によって形成することも可能である。これにより、上記のような背中紐用長さ調整部１４１を不要として、保護者にフィットした状態でカバー本体部１１０を装着することができる。
【００５１】
（第１実施形態の変形例）
上記第１実施形態に限定されることなく、静音カバー１００を以下のように構成したものとしてもよい。
【００５２】
遮音材１１１は、複数（例えば、４枚）の布材１１１ａが積層されたものとしたが、４枚に限らず、２枚、３枚、あるいは５枚以上の構成としてもよい。また、遮音効果に応じて、１枚の構成としてもよい。また、遮音材１１１の枚数に応じて厚みを変えたものとしてもよい。
【００５３】
遮音材１１１は、遮音コーティングされた布材１１１ａから形成されるものに限らず、例えば、ポリウレタン等の発砲樹脂材、あるいはゴム材等から形成されるものとしてもよい。
【００５４】
遮音材１１１に対する防水処理層の形成は、必要に応じて実施すればよく、未実施のものとしてもよい。
【００５５】
カバー本体部１１０として、遮音材１１１に対して、表生地１１２、裏生地１１３を設けるものとしたが、本静音カバー１００においては、少なくとも遮音材１１１を備えておればよく、表生地１１２、および裏生地１１３のいずれか、あるいは両方は、廃止したものとしてもよい。
【００５６】
開口部１２０の周囲は、両端部よりも湾曲中央部が上側に位置するように傾斜設定としたが、これに限らず、例えば、両端部と湾曲中央部が同一高さ（水平）となるような設定としてもよい。
【００５７】
開口部１２０における形状保持部１２１は、必要に応じて設定すればよく、廃止したものとしてもよい。
【００５８】
首掛け紐１３０、および背中紐１４０の長さを予め保護者の体格を考慮して設定しておくことで、各長さ調整部１３１、１４１は、廃止してもよい。
【００５９】
（その他の実施形態１）
上記第１実施形態、および変形例に対して、複数積層された遮音材１１１は、それぞれ、周波数に対する遮音特性が異なるように設定されたものとしてもよい。例えば、１枚めは２０００Ｈｚ、２枚めは３０００Ｈｚ、３枚めは４０００Ｈｚ、４枚めは５０００Ｈｚに最も遮音の低減効果を持った材質にする、と言ったものである。これにより、遮音したい音域（音の周波数領域）を広く設定することができる。
【００６０】
（その他の実施形態２）
上記第１実施形態、および変形例に対して、表生地１１２の表面に、撥水処理された撥水処理層を形成するようにしてもよい。これにより、例えば、急に雨が降り出したりした場合でも、表生地１１２に撥水処理層が形成されているので、カバー本体部１１０を頭からかぶる等して、雨具替わりに活用することができる。
【００６１】
また、表生地１１２の表面に、ブランケットの装着を可能とする装着部を形成するようにしてもよい。これにより、装着部によって、表生地１１２の表面にブランケットを装着することができるので、冬場では、乳幼児を温かく包んであげることができる。
【００６２】
また、表生地１１２に、乳幼児を抱っこしているために、保護者は両手が使えないことを周囲の人に示すための文字、あるいは図による表示を設けるようにしてもよい。保護者は、カバー本体部１１０内で、乳幼児を抱っこするために両手を使用しているが、外部からはそれが見えない。よって、表生地１１２に上記のような表示を設けることで、両手が使えないことをことさら周りの人に言わなくても、理解してもらうことができる。
【００６３】
また、カバー本体部１１０の表面に、日差しを反射させる反射部、あるいは紫外線をカットするカット部を形成するようにしてもよい。これにより、反射部によって、例えば、夏場での日差しによるカバー本体部１１０内の温度上昇を抑制することができ、乳幼児に対する暑さ対策を施すことができる。また、カット部によって、乳幼児に対して紫外線による影響を和らげることができる。
【００６４】
（その他の実施形態３）
その他の実施形態３における静音カバー１００Ａを図５に示す。その他の実施形態３は、上記第１実施形態、および変形例に対して、裏生地１１３に、乳幼児の足を挿入可能とする足用ポケット１１３ａを設けたものである。これにより、足用ポケット１１３ａに乳幼児の足を挿入することで、乳幼児の体重の一部を支えることができるので、保護者が乳幼児を抱っこする負担を和らげることができる。
【００６５】
また、裏生地１１３の表面に、抗菌処理された抗菌処理層を形成するようにしてもよい。これにより、抗菌、細菌の増殖を抑制、殺したりすることが可能となり、カバー本体部１１０内での乳幼児に対する環境を清潔なものにすることができる。
【００６６】
（その他の実施形態４）
その他の実施形態４における静音カバー１００Ｂを図６に示す。その他の実施形態４は、上記第１実施形態、および変形例に対して、開口部１２０に、開口部１２０を開閉可能とする蓋部１２２を設けたものである。蓋部１２２は、透明部材、あるいはメッシュ部材によって形成するのがよい。
【００６７】
これにより、乳幼児が激しく泣いた場合等、開口部１２０を介した保護者のコミュニケーションはできなくなるが、蓋部１２２で開口部１２０を塞ぐことで、開口部１２０からの泣き声の漏れを抑制することができる。
【００６８】
また、蓋部１２２が、透明部材、あるいはメッシュ部材等によって形成される場合であると、保護者は、蓋部１２２によって開口部１２０を閉じた状態であっても、乳幼児をある程度、確認することができるので、盲蓋のように完全に塞がれる場合に比べて、コミュニケーションが阻害される分を低減することができる。
【００６９】
（その他の実施形態５）
その他の実施形態５における静音カバー１００Ｃを図７に示す。その他の実施形態５は、上記第１実施形態、および変形例に対して、カバー本体部１１０の内側に、乳幼児の泣き声を捉えるマイク２１１と、マイク２１１で捉えた泣き声の音波に対して逆位相となる逆位相音波を発生させる発生部２１２（アクティブノイズキャンセラ）と、を設けたものである。
【００７０】
これにより、発生部２１２から発生される逆位相音波によって、乳幼児の泣き声を相殺することができるので、周囲に対して泣き声が聞こえないようにすることができる。
【００７１】
（その他の実施形態６）
その他の実施形態６における静音カバー１００Ｄを図８に示す。その他の実施形態６は、上記第１実施形態、および変形例に対して、カバー本体部１１０の内側に、乳幼児を和ませる音や曲を流すスピーカ装置２２１を設けたものである。乳幼児を和ませる音は、適度なノイズ音、胎動の音、川の流れる音、森の音等とすることができる。また、乳幼児を和ませる曲は、子守唄等とすることができる。
【００７２】
これにより、スピーカ装置２２１から流される音や曲によって、乳幼児を和ますことができ、泣き止ますことができる。
【００７３】
（その他の実施形態７）
その他の実施形態７における静音カバー１００Ｅを図９に示す。その他の実施形態７は、上記第１実施形態、および変形例に対して、カバー本体部１１０の内側に、乳幼児に向けて送風する扇風機２３１を設けたものである。扇風機２３１は、例えば、バッテリ駆動式の小型扇風機である。
【００７４】
これにより、扇風機２３１によって、夏場等、乳幼児に向けて送風することができるので、カバー本体部１１０内の乳幼児の環境を快適にすることができる。
【００７５】
（その他の実施形態８）
その他の実施形態８における静音カバー１００Ｆを図１０に示す。その他の実施形態８は、上記第１実施形態、および変形例に対して、カバー本体部１１０の内側に、カバー本体部１１０内で冷気を放出する蓄冷材２４１を保持する保持部２４２を設けるようにしてもよい。保持部２４２は、例えば、カバー本体部１１０の裏生地１１３の所定部位に設けたポケットとすることができる。
【００７６】
これにより、保持部２４２に蓄冷材２４１を保持することが可能となり、蓄冷材２４１によって、夏場等、カバー本体部１１０内で冷気を放出することができ、カバー本体部１１０内の乳幼児の環境を快適にすることができる。
【００７７】
（その他の実施形態９）
その他の実施形態９における静音カバー１００Ｇを図１１に示す。その他の実施形態９は、上記第１実施形態、および変形例に対して、カバー本体部１１０に、乳幼児の声を集音する集音マイク２５１を設けると共に、保護者の耳に取付け可能として、集音マイク２５１で集音した乳幼児の声を出力するイヤホン２５２を設けたものである。
【００７８】
これにより、乳幼児の声が集音マイク２５１によって集音され、保護者は、集音された乳幼児の声をイヤホン２５２によって確実に聞くことが可能となり、乳幼児の現在の状態をより正確に把握することが可能となる。
【００７９】
（その他の実施形態１０）
上記第１実施形態、および変形例に対して、カバー本体部１１０に、カバー本体部１１０が折りたたまれた状態を保持する保持部を設けるようにしてもよい。保持部は、例えば、カバー本体部１１０の所定位置に設けられて、折りたたまれたカバー本体部１１０自身を収納可能とする収納ポケット部や、折りたたまれた状態に固定する固定ベルト部、紐部等とすることができる。
【００８０】
これにより、保持部によって、カバー本体部１１０が折りたたまれた状態で保持されるので、静音カバー１００として使用しないときの持ち運びが容易となる。
【００８１】
（その他の実施形態１１）
その他の実施形態１１における静音カバー１００Ｈを図１２に示す。その他の実施形態１１は、上記第１実施形態、および変形例に対して、カバー本体部１１０に、カバー本体部１１０の周囲の所定部位同士を接合可能として、一部に非接合部を残して袋状に保持する接合部１１０ａを設けたものである。
【００８２】
接合部１１０ａは、例えば、カバー本体部１１０の上下の辺部に設けられた、面ファスナ、通常のファスナ、あるいはボタン等とすることができる。例えば、図１２（ａ）に示すように、カバー本体部１１０を縦方向に延びる仮想中心線に沿って二つ折りとして、図１２（ｂ）に示すように、上下の辺部において、重なり部分を接合部１１０ａによって接合すると共に、９０度回転することで、図１２（ｃ）に示すように、上側が非接合部（開口部）となる大きな袋状にすることができる。
【００８３】
これにより、カバー本体部１１０の周囲の所定部位同士を、接合部１１０ａによって接合し、一部の非接合部を残すことで、カバー本体部１１０を袋状に保持することができ、静音カバー１００として使用しないときに物入れ用の袋として使用することができる。
【００８４】
（その他の実施形態１２）
その他の実施形態１２における静音カバー１００Ｈを図１３に示す。その他の実施形態１２は、上記第１実施形態、および変形例に対して、カバー本体部１１０に、乳幼児の泣き声の音声データ、および乳幼児の生体に関する生体データを取得する取得部２６１と、取得部２６１で取得した音声データ、および生体データを保護者の携帯機器２６３に送信する送信部２６２とを設けたものである。
【００８５】
取得部２６１によって取得される音声データ、および生体データのうち、生体データは、例えば、体温、脈拍、脈波、動き等である。
【００８６】
これにより、乳幼児の泣き声の音声データと、生体データとを取得部２６１で取得でき、更に送信部２６２によってそれらのデータを携帯機器２６３に送信することができる。よって、送信されたデータから乳幼児の泣き声と、そのときの体調等とを関係付けることができ、乳幼児の感情分析を行うことができる。
【符号の説明】
【００８７】
１００、１００Ａ〜１００Ｉ  乳幼児の泣き声静音カバー
１１０  カバー本体部
１１０ａ  接合部
１１１  遮音材
１１１ａ  布材
１１２  表生地
１１３  裏生地
１１３ａ  足用ポケット
１２０  開口部
１２１  形状保持部
１２２  蓋部
１３０  首掛け紐
１３１  首掛け紐用長さ調整部
１４０  背中紐
１４１  背中紐用長さ調整部
２１１  マイク
２１２  発生部
２２１  スピーカ装置
２３１  扇風機
２４１  蓄冷材
２４２  保持部
２５１  集音マイク
２５２  イヤホン
２６１  取得部
２６２  送信部
２６３  携帯機器
【図１】
2018099434.tif 000003
【図２】
2018099434.tif 000004
【図３】
2018099434.tif 000005
【図４】
2018099434.tif 000006
【図５】
2018099434.tif 000007
【図６】
2018099434.tif 000008
【図７】
2018099434.tif 000009
【図８】
2018099434.tif 000010
【図９】
2018099434.tif 000011
【図１０】
2018099434.tif 000012
【図１１】
2018099434.tif 000013
【図１２】
2018099434.tif 000014
【図１３】
2018099434.tif 000015